(57)【特許請求の範囲】
【請求項１】
ベース基材の一方の面側に配置された表示電極と、前記表示電極の前記ベース基材とは反対面側に配置された情報表示層と、前記情報表示層の前記ベース基材とは反対面側に配置された透明電極層とを有し、前記表示電極と前記透明電極層との間の電位差によって前記表示電極に対向する領域を含む表示領域にて前記情報表示層を用いて情報を表示する情報表示装置であって、
前記表示電極は、前記表示領域の一部に対向するように設けられ、
前記表示領域のうち前記表示電極に対向しない領域に設けられた情報表示補助部と、
前記情報表示補助部に対向する領域にて前記表示電極に対向する領域を取り囲むように配置された非接触通信用アンテナとを有する情報表示装置。
【請求項２】
請求項１に記載の情報表示装置において、
前記ベース基材の一方の面側に前記表示電極に接続されて配置された配線を有し、
前記情報表示補助部は、前記透明電極層側から前記配線を視認不可能とするために前記透明電極層上に形成されたマスク層によって構成されている情報表示装置。
【発明の詳細な説明】
【技術分野】
【０００１】
本発明は、非接触通信が可能な情報表示装置に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。これらの表示装置は、それぞれ一長一短を有しており、例えば、ＣＲＴディスプレイは、視野角が広いものの奥行きサイズが厚く、また、液晶ディスプレイは、奥行きサイズが薄いものの視野角が狭く、また、プラズマディスプレイは、視野角が広く奥行きサイズが薄いものの消費電力が多い。
【０００３】
近年、上述したような表示装置に加えて、デジタル情報を紙のように薄い表示媒体に表示する薄型の情報表示装置が普及しはじめている。このような薄型の情報表示装置は、紙のように薄いために携帯がしやすいとともに、消費電力が少なく、また視野角が広く、さらには、電極に印加する電圧によって表示される情報を書き換えることができるとともに、電源を切断した場合でも表示内容を保持できることから、今後のさらなる普及が予想される。
【０００４】
図４は、薄型の情報表示装置の一例を示す図であり、（ａ）は表面図、（ｂ）は（ａ）に示したＡ−Ａ’断面図、（ｃ）は（ｂ）に示したベース基材１１０上の構成を示す図である。
【０００５】
本例は図４に示すように、一方の面の全面に表示電極１２１ａ〜１２１ｎ，１２３が形成されたベース基材１１０と、ベース基材１１０の表示電極１２１ａ〜１２１ｎ，１２３が形成された面に積層された情報表示層１３０と、情報表示層１３０のベース基材１１０とは反対側の面のうち表示電極１２１ａ〜１２１ｎに対向する領域を含む一部の領域に積層された透明導電膜基板１４０と、情報表示層１３０のベース基材１１０とは反対側の面のうち透明導電膜基板１４０が積層されていない領域に積層された印刷層１５０とから構成されている。透明導電膜基板１４０は、ガラスや透明フィルム等からなる透明基板１４２の一方の面に透明電極（例えば、ＩＴＯ）１４１が形成されて構成されている。なお、表示電極１２１ａ〜１２１ｎ，１２３は、ベース基材１１０に設けられたスルーホール（不図示）を介してベース基材１１０の裏面に形成された配線（不図示）と接続されており、この配線を介して電圧が印加されることになる。
【０００６】
そして、透明導電膜基板１４０が設けられた領域が表示領域１０２となり、印刷層１５０が積層された領域が枠部１０３となっている。なお、表示領域１０２は、表示電極１２１ａ〜１２１ｎに対向する領域が情報表示部１０２ａとなり、表示電極１２３に対向する領域が背景部１０２ｂとなっている。
【０００７】
上記のように構成された情報表示装置１０１においては、透明電極１４１に所定の電圧を印加した状態で、表示電極１２３にこれとは異なる電圧を印加するとともに、表示領域１０２にて表示する情報に応じて表示電極１２１ａ〜１２１ｎに表示電極１２３と同一または異なる電圧を選択的に印加することにより、透明電極１４１と表示電極１２１ａ〜１２１ｎ，１２３との間の電位差によって情報表示層１３０の状態が変化し、この状態の変化によって、情報表示部１０２ａの色が表示電極１２１ａ〜１２１ｎに対向する領域毎に背景部１０２ｂと同一または異なるものとなり、この色の違いが透明導電膜基板１４０側から視認されて表示領域１０２にて情報が表示されることになる。
【０００８】
近年、このような情報表示装置に非接触通信機能を付加したものが考えられており、例えば、特許文献１に開示されている。この特許文献１に開示されたＩＣカード情報表示器は、リーダライタに近接すると、リーダライタからの磁界による電磁誘導によって生じた電力によって表示素子を駆動させ、リーダライタから送信されてきた情報やメモリに書き込まれた情報を表示することができるように構成されている。
【０００９】
ところが、上述したような情報表示装置には、ベース基材の一方の面の全面に表示電極が形成されているため、リーダライタに近接すると、リーダライタからの磁界によって表示電極の表面に渦電流が生じ、それにより、リーダライタからの磁界による電磁誘導が生じにくくなり、通信特性が劣化してしまう。
【００１０】
そこで、情報を表示する表示領域の面積をカード全体の５０％以下とした非接触ＩＣカードが特許文献２に開示されている。このように、情報表示部の面積をカード全体の５０％以下とすることにより、上記のような渦電流による通信特性の劣化を抑制することができる。
【先行技術文献】
【特許文献】
【００１１】
【特許文献１】特開２００４−２１２８８号公報
【特許文献２】特開２００２−２３０４９６号公報
【発明の概要】
【発明が解決しようとする課題】
【００１２】
しかしながら、上述したように渦電流による通信特性の劣化を抑制するために情報を表示する表示領域の面積をカード全体の５０％以下としたものにおいては、カードの大きさが決められている場合は、情報を表示する表示領域の面積が狭くなり、それに伴って、表示可能な情報の量が減少してしまい、また、情報を表示する表示領域の面積が決められている場合は、カード全体の大きさが大きくなってしまうという問題点がある。
【００１３】
また、表示電極を薄くすることによりその抵抗値を大きくし、それにより、渦電流の発生を抑制することも考えられるが、表示電極を薄くした場合、断線等の弊害が生じてしまう。
【００１４】
本発明は、上述したような従来の技術が有する問題点に鑑みてなされたものであって、表示電極に電圧を印加することによって情報を表示する情報表示装置において、情報を表示する表示領域の面積を狭くしたり、情報表示装置全体の大きさを大きくしたりすることなく非接触通信を可能とする情報表示装置を提供することを目的とする。
【課題を解決するための手段】
【００１５】
上記目的を達成するために本発明は、
ベース基材の一方の面側に配置された表示電極と、前記表示電極の前記ベース基材とは反対面側に配置された情報表示層と、前記情報表示層の前記ベース基材とは反対面側に配置された透明電極層とを有し、前記表示電極と前記透明電極層との間の電位差によって前記表示電極に対向する領域を含む表示領域にて前記情報表示層を用いて情報を表示する情報表示装置であって、
前記表示電極は、前記表示領域の一部に対向するように設けられ、
前記表示領域のうち前記表示電極に対向しない領域に設けられた情報表示補助部と、
前記情報表示補助部に対向する領域にて前記表示電極に対向する領域を取り囲むように配置された非接触通信用アンテナとを有する。
【００１６】
上記のように構成された本発明においては、表示領域にて情報表示層を用いて情報を表示するための表示電極が、表示領域の一部に対向するように設けられるとともに、表示領域のうち表示電極に対向しない領域に情報表示補助部が設けられ、表示電極による情報表示層における表示と情報表示補助部とによって情報が表示されることになる。ここで、非接触通信を行うための非接触通信用アンテナが、表示領域において表示電極に対向する領域と情報表示補助部に対向する領域とのそれぞれ少なくとも一部を取り囲むように配置されていることにより、非接触通信用アンテナによって取り囲まれる領域には、その領域を広範囲に覆うように表示電極が面状に設けられているのではなく、表示電極が設けられていない情報表示補助部の少なくとも一部が存在することになるため、リーダライタに近接した場合に渦電流が生じることがなく、非接触通信が可能となる。
【００１７】
このように、情報が表示される表示領域にて渦電流を生じさせることなく非接触通信用アンテナが配置されているため、情報を表示する表示領域の面積を狭くしたり、情報表示装置全体の大きさを大きくしたりすることなく非接触通信が可能となる。
【００１８】
また、ベース基材の一方の面側に表示電極に接続されて配置された配線を有し、情報表示補助部が、透明電極層側から配線を視認不可能とするために透明電極層上に形成されたマスク層によって構成されているものにおいては、配線に対向する領域に非接触通信用アンテナが配置されているものの、配線はその線幅が狭い導電領域であるため、リーダライタに近接した場合に渦電流が生じることがなく、非接触通信が可能となる。
【発明の効果】
【００１９】
以上説明したように本発明においては、表示領域にて情報表示層を用いて情報を表示するための表示電極が、表示領域の一部に対向するように設けられるとともに、表示領域のうち表示電極に対向しない領域に情報表示補助部が設けられ、表示電極による情報表示層における表示と情報表示補助部とによって情報が表示される構成とし、表示領域において表示電極に対向する領域と情報表示補助部に対向する領域とのそれぞれ少なくとも一部を取り囲むように非接触通信用アンテナを配置したため、情報を表示する表示領域の面積を狭くしたり、情報表示装置全体の大きさを大きくしたりすることなく非接触通信が可能となる。
【図面の簡単な説明】
【００２０】
【図１】本発明の情報表示装置の実施の一形態を示す図であり、（ａ）は表面図、（ｂ）は（ａ）に示したＡ−Ａ’断面図、（ｃ）は（ｂ）に示したベース基材の表面の構成を示す図、（ｄ）は（ｂ）に示したベース基材の裏面の構成を示す図である。
【図２】図１に示した情報表示装置の表示領域に情報が表示された状態を示す図である。
【図３】本発明の情報表示装置の他の実施の形態を示す図であり、（ａ）は表面図、（ｂ）は（ａ）に示したＡ−Ａ’断面図、（ｃ）は（ｂ）に示したベース基材の表面の構成を示す図、（ｄ）は（ｂ）に示したベース基材の裏面の構成を示す図である。
【図４】薄型の情報表示装置の一例を示す図であり、（ａ）は表面図、（ｂ）は（ａ）に示したＡ−Ａ’断面図、（ｃ）は（ｂ）に示したベース基材上の構成を示す図である。
【発明を実施するための形態】
【００２１】
以下に、本発明の実施の形態について図面を参照して説明する。
【００２２】
図１は、本発明の情報表示装置の実施の一形態を示す図であり、（ａ）は表面図、（ｂ）は（ａ）に示したＡ−Ａ’断面図、（ｃ）は（ｂ）に示したベース基材１０の表面の構成を示す図、（ｄ）は（ｂ）に示したベース基材１０の裏面の構成を示す図である。
【００２３】
本形態は図１に示すように、一方の面に表示電極２１ａ〜２１ｎ及びこれらにそれぞれ接続された配線２２ａ〜２２ｎが形成されるとともに、他方の面にコイル状の非接触通信用アンテナ７０が形成されたベース基材１０と、ベース基材１０の表示電極２１ａ〜２１ｎ及び配線２２ａ〜２２ｎが形成された面に積層された情報表示層３０と、情報表示層３０のベース基材１０とは反対側の面のうち表示電極２１ａ〜２１ｎに対向する領域を含む一部の領域に積層された透明電極層である透明導電膜基板４０と、透明導電膜基板４０の情報表示層３０とは反対側の面のうち表示電極２１ａ〜２１ｎに対向しない領域の全面に積層されたマスク層６０と、情報表示層３０のベース基材１０とは反対側の面のうち透明導電膜基板４０が積層されていない領域に積層された印刷層５０とから構成されている。
【００２４】
そして、透明導電膜基板４０が設けられた領域が表示領域２となり、印刷層５０が積層された領域が枠部３となっている。なお、表示領域２は、表示電極２１ａ〜２１ｎに対向する領域が情報表示部２ａとなり、表示電極２１ａ〜２１ｎに対向せずにマスク層６０に対向する領域が情報表示補助部となる背景部２ｂとなっている。
【００２５】
ベース基材１０は、ＰＥＴ等の材料からなり、情報表示層３０と対向する面に、例えば、銀ペーストやカーボンペースト等の導電ペーストや導電インキを用いたスクリーン印刷によって表示電極２１ａ〜２１ｎ及びこれに接続された配線２２ａ〜２２ｎが形成されている。表示電極２１ａ〜２１ｎは、ベース基材１０上に、表示される情報に応じたパターンでセグメント形状に形成されている。本形態は、この表示電極２１ａ〜２１ｎを用いて２桁の数字を表示するものであって、表示電極２１ａ〜２１ｎに対して選択的に電圧が印加され、“００”〜“９９”の数字が表示されることになる。配線２２ａ〜２２ｎは、ベース基材１０の表示電極２１ａ〜２１ｎが形成された面において、その一端がそれぞれ表示電極２１ａ〜２１ｎに接続され、そこから表示領域２の外部に引き出され、他端が、表示電極２１ａ〜２１ｎに選択的に電圧を印加するためのドライバ（不図示）に接続されて形成されている。そして、表示電極２１ａ〜２１ｎには、これら配線２２ａ〜２２ｎを介して選択的に電圧が印加されることになる。また、ベース基材１０の裏面に形成されたアンテナ７０は、表示領域２のうち背景部２ｂとなる領域にてコイル状に形成されている。そのため、アンテナ７０は、配線２２ａ〜２２ｎの一部に対向している。これにより、アンテナ７０は、表示電極２１ａ〜２１ｎの全てを取り囲み、かつ、背景部２ｂの一部を取り囲むように設けられている。
【００２６】
透明導電膜基板４０は、ガラスや透明フィルム等からなる透明基板４２の一方の面に透明電極（例えば、ＩＴＯ）４１が形成されて構成されており、透明電極４１に外部から所定の電圧が印加される。
【００２７】
情報表示層３０は、表示電極２１ａ〜２１ｎと透明電極４１との間の電位差に応じて情報を表示するものであって、透明電極４１に所定の電圧を印加した状態で、表示領域２にて表示する情報に応じて表示電極２１ａ〜２１ｎに２種類の電圧を選択的に印加することにより、透明電極４１と表示電極２１ａ〜２１ｎとの間の電位差によって情報表示層３０の状態が変化し、この状態の変化によって、情報表示部２ａの色が表示電極２１ａ〜２１ｎに対向する領域毎に２色のうちいずれかの色となり、この色の違いが透明導電膜基板４０側から視認されて情報表示部２ａにて“００”〜“９９”の数字が表示されることになる。この情報表示層３０としては、例えば、電気泳動タイプや電子粉粒タイプ、エレクトロクロミック等が挙げられるが、マイクロカプセル方式の電気泳動タイプが最も好ましい。
【００２８】
マスク層６０は、透明導電膜基板４０の情報表示層３０とは反対側の面のうち表示電極２１ａ〜２１ｎに対向しない領域の全面に、情報表示層３０を透明導電膜基板４０側から視認した場合に、上述した２色のうちいずれかの色と同一の色のインキを用いて印刷が施されることによって積層されている。
【００２９】
以下に、上記のように構成された情報表示装置１の動作について説明する。
【００３０】
まず、アンテナ７０を介しての非接触通信動作について説明する。
【００３１】
図１に示した情報表示装置１をリーダライタに近接させると、リーダライタからの磁束がコイル状のアンテナ７０の内部を貫通し、電磁誘導によってアンテナ７０に電流が流れる。この際、磁束が貫通するアンテナ７０の内部に対向する領域においては、表示領域２ａを広範囲に覆うように表示電極が面状に設けられているのではなく、セグメント形状にて島状に表示電極２１ａ〜２１ｎが設けられているため、リーダライタからの磁界によって渦電流が生じることがない。また、アンテナ７０は、配線２２ａ〜２２ｎの一部に対向しているが、配線２２ａ〜２２ｎは線幅が狭い導電領域であるため、リーダライタに近接した場合に渦電流が生じることがない。
【００３２】
そのため、情報表示装置１をリーダライタに近接させることにより、リーダライタとの間にて非接触通信が行われ、アンテナ７０に接続されたＩＣチップ（不図示）に情報が書き込まれたり、ＩＣチップに記憶された情報が読み出されたりする。
【００３３】
次に、表示領域２における情報の表示動作について説明する。
【００３４】
図１に示した情報表示装置１の表示領域２にて情報を表示する場合、例えば、透明電極４１が０Ｖとされた状態で、表示電極２１ａ〜２１ｎに配線２２ａ〜２２ｎを介してマイナスあるいはプラスの電圧が選択的に印加されると、マイナスの電圧が印加された表示電極に対向する領域においては、表示電極に対して透明電極４１側がプラスとなる電位差が生じ、また、プラスの電圧が印加された表示電極に対向する領域においては、表示電極に対して透明電極４１側がマイナスとなる電位差が生じる。すると、情報表示層３０の状態がこの表示電極２１ａ〜２１ｎと透明電極４１との間の電位差によって変化し、この状態の変化によって、情報表示部２ａの色が表示電極２１ａ〜２１ｎに対向する領域毎に２色のうちいずれかの色となる。
【００３５】
図２は、図１に示した情報表示装置１の表示領域２に情報が表示された状態を示す図である。
【００３６】
例えば、図１に示した情報表示装置１において、透明電極４１が０Ｖとされた状態で、表示電極２１ａ，２１ｇ，２１ｌに配線２２ａ，２２ｇ，２２ｌを介してプラスの電圧が印加されるとともに、表示電極２１ｂ〜２１ｆ，２１ｈ〜２１ｋ，２１ｍ，２１ｎに配線２２ｂ〜２２ｆ，２２ｈ〜２２ｋ，２２ｍ，２２ｎを介してマイナスの電圧が印加されると、図２に示すように、透明導電膜基板４０側から視認した場合、表示領域２の情報表示部２ａのうち表示電極２１ａ，２１ｇ，２１ｌに対向する領域が背景部２ｂと同一の色となって非表示部４ｂとなり、表示電極２１ｂ〜２１ｆ，２１ｈ〜２１ｋ，２１ｍ，２１ｎに対向する領域が背景部２ｂとは異なる色となって表示部４ａとなり、それにより、表示領域２に“２９”の数字が視認されることになる。
【００３７】
このように、表示領域２においては、表示電極２１ａ〜２１ｎに対向する情報表示部２ａと、表示電極２１ａ〜２１ｎに対向せず、情報表示層３０を透明導電膜基板４０側から視認される２色のうちいずれかの色と同一の色のインキを用いて印刷が施されることによって積層されたマスク層６０による背景部２ｂとによって情報が表示されることになる。なお、このように表示される情報は、配線２２ａ〜２２ｎを介して外部から与えられるものや、アンテナ７０を介した非接触通信にて受信したものが考えられる。アンテナ７０を介した非接触通信にて受信したものを表示する場合は、アンテナ７０に接続されたＩＣチップから、表示電極２１ａ〜２１ｎに電圧を印加するためのドライバに表示すべき情報が送られることになる。
【００３８】
ここで、情報表示層３０においては、表示電極２１ａ〜２１ｎに電圧を印加するための配線２２ａ〜２２ｎに対向する領域においても、表示電極２１ａ〜２１ｎに電圧を印加した場合、その電圧に応じて状態が変化することになるが、透明導電膜基板４０の配線２２ａ〜２２ｎに対向する領域にはマスク層６０が形成されており、このマスク層６０によって透明導電膜基板４０側から配線２２ａ〜２２ｎが視認不可能となっているとともに、情報表示層３０の配線２２ａ〜２２ｎに対向する領域における状態の変化に応じた色が視認不可能となっているため、表示する情報の中に、情報表示層３０の配線２２ａ〜２２ｎに対向する領域における状態の変化に応じた色が視認されてしまうことがない。
【００３９】
上述したように本形態においては、表示領域２にて情報表示層３０を用いて情報を表示するための表示電極２１ａ〜２１ｎが、表示領域２の一部に対向するように設けられるとともに、透明導電膜基板４０上において表示領域２のうち表示電極２１ａ〜２１ｎに対向しない領域の全体にマスク層６０が形成され、表示電極２１ａ〜２１ｎによる情報表示層３０における情報表示部２ａにおける表示と、マスク層６０による背景部２ｂとによって情報が表示される構成とし、表示領域２において背景部２ｂに対向する領域に非接触通信用アンテナ７０を配置したため、情報を表示する表示領域２の面積を狭くしたり、情報表示装置１全体の大きさを大きくしたりすることなく非接触通信が可能となる。
【００４０】
（他の実施の形態）
図３は、本発明の情報表示装置の他の実施の形態を示す図であり、（ａ）は表面図、（ｂ）は（ａ）に示したＡ−Ａ’断面図、（ｃ）は（ｂ）に示したベース基材１０の表面の構成を示す図、（ｄ）は（ｂ）に示したベース基材１０の裏面の構成を示す図である。
【００４１】
本形態は図３に示すように、図１に示したものに対してアンテナ２７０が形成された領域が異なるものである。本形態においては、アンテナ２７０の一部が、表示電極２１ａ，２１ｃ，２１ｈ，２１ｊ及び枠部３に対向している。そのため、本形態におけるアンテナ２７０は、表示電極２１ａ〜２１ｎの一部と背景部２ｂの一部とを取り囲むように設けられている。
【００４２】
上記のように構成された情報表示装置２０１においても図１に示したものと同様に、リーダライタに近接させると、リーダライタからの磁束がコイル状のアンテナ２７０の内部を貫通し、電磁誘導によってアンテナ２７０に電流が流れるが、磁束が貫通するアンテナ２７０の内部に対向する領域においては、表示領域２ａを広範囲に覆うように表示電極が面状に設けられているのではなく、表示電極が設けられていない背景部２ｂが存在することになるため、リーダライタからの磁界によって渦電流が生じることがなく、非接触通信が可能となる。
【００４３】
また、表示領域２における情報の表示動作については、図１に示したものと同様に、例えば、透明電極４１が０Ｖとされた状態で、表示電極２１ａ〜２１ｎに配線２２ａ〜２２ｎを介してマイナスあるいはプラスの電圧が選択的に印加されることにより、情報表示部２ａの色が表示電極２１ａ〜２１ｎに対向する領域毎に２色のうちいずれかの色となり、それにより、表示領域２に情報が表示されることになる。
【００４４】
なお、上述した実施の形態においては、ベース基材１０の一方の面に表示電極２１ａ〜２１ｎ及びこれに接続された配線２２ａ〜２２ｎが形成されたものを例に挙げて説明したが、配線２２ａ〜２２ｎをベース基材１０の裏面に形成し、表示電極２１ａ〜２１ｎ毎にベース基材１０にスルーホールを設けて表示電極２１ａ〜２１ｎと配線２２ａ〜２２ｎとを接続する構成としてもよい。
【００４５】
また、“００”〜“９９”の数字を表示するための表示電極２１ａ〜２１ｎがセグメント形状に配置されることにより、表示領域２において表示電極が島状となった構成を例に挙げて説明したが、表示電極を島状に配置する構成としてはこれに限らず、バーコードを表示するためにバー状の表示電極がその幅方向に複数本並んだものや、二次元コードや画像等を表示するためにドット状の表示電極がマトリックス状に配置されたものであってもよい。
【００４６】
また、ベース基材１０の一方の面に表示電極２１ａ〜２１ｎ及びこれに接続された配線２２ａ〜２２ｎが形成され、ベース基材１０の表示電極２１ａ〜２１ｎ及び配線２２ａ〜２２ｎが形成された面に情報表示層３０が積層され、情報表示層３０のベース基材１０とは反対側の面に透明導電膜基板４０が積層されてなるものを例に挙げ説明したが、これらベース基材１０、表示電極２１ａ〜２１ｎ及び配線２２ａ〜２２ｎ、情報表示層３０、並びに透明導電膜基板４０は、ベース基材１０の一方の面側に表示電極２１ａ〜２１ｎ及びこれに接続された配線２２ａ〜２２ｎが配置され、表示電極２１ａ〜２１ｎ及び配線２２ａ〜２２ｎのベース基材１０とは反対面側に情報表示層３０が配置され、情報表示層３０のベース基材１０とは反対面側に透明導電膜基板４０が配置されていれば、これらの間に、それぞれの機能に悪影響を及ぼさない層が積層されていてもよい。
【符号の説明】
【００４７】
１，２０１    情報表示装置
２    表示領域
２ａ    情報表示部
２ｂ    背景部
３    枠部
４ａ    表示部
４ｂ    非表示部
１０    ベース基材
２１ａ〜２１ｎ    表示電極
２２ａ〜２２ｎ    配線
３０    情報表示層
４０    透明導電膜基板
４１    透明電極
４２    透明基板
５０    印刷層
６０    マスク層
７０，２７０    アンテナ
【図１】
0005649477.tif 000002
【図２】
0005649477.tif 000003
【図３】
0005649477.tif 000004
【図４】
0005649477.tif 000005